(57)【要約】【課題】撮影の依頼を受けた人が、依頼者を満足させる画像をやり直しなしに撮影できるようなカメラ。【解決手段】スルー画のＬＣＤ１０２（液晶パネル７１）における表示範囲Ｒ１は、例えばファインダ視野率を縦横２割ずつ縮小するなどして、実際に取得された画像データ全体領域Ｒ０よりも狭く設定されている。従って、ポストビュー画像では構図が悪いように見えても、再生モードで表示される実際に記録した画像では、ポストビュー画像の周辺領域も記録されており、画面上下に発生しうる頭や足の画像切れが救済されうるから、撮影のやり直しを避けることができる。【選択図】  図１１
2008160771.tif 000002
【特許請求の範囲】
【請求項１】
被写体から撮影レンズを介して入射した光を受光して継続的に撮影信号に変換して出力する撮影部、前記撮影部から出力された撮影信号を画像データに変換して出力する画像データ変換部、前記画像データの記録指示を入力する記録指示部、前記記録指示部が前記記録指示の入力を受け付けたことに応じて前記撮影素子の露光を制御する露光制御部、前記露光制御部による露光の制御に応じて前記撮影素子から出力された撮影信号から変換された画像データを記録する記録部、および少なくとも前記記録部に記録された画像データを表示する表示部を備える撮影装置であって、
他人に撮影を依頼する旨の入力を受け付ける撮影依頼部と、
前記撮影依頼部へ他人に撮影を依頼する旨が入力されたことに応じ、前記表示部による画像データの表示画角を前記撮影部による撮影画角よりも狭い所定の範囲に設定する撮影依頼モード設定部と、
を備え、
前記表示部は、前記撮影依頼モード設定部が設定した表示画角の範囲内で、前記記録部の圧縮符号化画像データを復号した画像データであるポストビュー画像の表示を行う撮影装置。
【請求項２】
前記撮影依頼モード設定部は、前記撮影依頼部へ他人に撮影を依頼する旨が入力されたことに応じ、前記画像データの記録画素数を最高画素数に設定、高感度モードの設定、顔認識に応じた自動露光調整および自動焦点調整モードの設定、前記表示部のバックライトのオートパワーオフの解除、撮影装置本体のオートパワーオフの解除、クイックショットモードの設定、連写モードの設定、スルー画のアイコン表示の停止もしくは制限およびシャッタボタン全押し完了までのシャッタボタン以外の操作の無効化のうち少なくとも１つを行う請求項１に記載の撮影装置。
【請求項３】
前記表示部は、前記記録部が前記画像データを圧縮符号化して記録した後から画像データの再生モードが設定されるまで、前記ポストビュー画像の表示を継続する請求項１または２に記載の撮影装置。
【請求項４】
前記記録部は、前記撮影依頼モード設定部が設定した表示画角を特定する情報を、画像データと対応づけて記録する請求項１〜３のいずれかに記載の撮影装置。
【請求項５】
他人に撮影を依頼する旨の入力を受け付けるステップと、
前記他人に撮影を依頼する旨が入力されたことに応じ、画像データの表示画角を撮影画角よりも狭い所定の範囲に設定するステップと、
設定された表示画角の範囲内で、撮影された画像データの表示を行うステップと、
を備える撮影制御方法。
【発明の詳細な説明】
【技術分野】
【０００１】
本発明は他人への撮影依頼に応じたカメラの動作制御に関する。
【背景技術】
【０００２】
特許文献１によると、デジタルズームによって画角の異なる画像を段階的に撮影、記録できる。特許文献２によると、監視領域において、進入物体があった場合には矩形枠で切り出し、デジタルズームにて拡大表示し、蓄積する。
【特許文献１】特開２００６−２１１４８９号公報
【特許文献２】特開平７−２８８８０２号公報
【発明の開示】
【発明が解決しようとする課題】
【０００３】
自分が入る記念写真などの撮影の際、他人による撮影をうまく誘導できず、実際には、ピンぼけ、手ブレ、構図の切れ、被写体が小さすぎるなど失敗写真が得られることが多かった。
【０００４】
本発明はこのような問題点に鑑みてなされたもので、撮影の依頼を受けた人が、依頼者を満足させる画像をやり直しなしに撮影できるようなカメラを提供することを目的とする。
【課題を解決するための手段】
【０００５】
本発明は、被写体から撮影レンズを介して入射した光を受光して継続的に撮影信号に変換して出力する撮影部、撮影部から出力された撮影信号を画像データに変換して出力する画像データ変換部、画像データの記録指示を入力する記録指示部、記録指示部が記録指示の入力を受け付けたことに応じて撮影素子の露光を制御する露光制御部、露光制御部による露光の制御に応じて撮影素子から出力された撮影信号から変換された画像データを記録する記録部、および少なくとも記録部に記録された画像データを表示する表示部を備える撮影装置であって、他人に撮影を依頼する旨の入力を受け付ける撮影依頼部と、撮影依頼部へ他人に撮影を依頼する旨が入力されたことに応じ、表示部による画像データの表示画角を撮影部による撮影画角よりも狭い所定の範囲に設定する撮影依頼モード設定部と、を備え、表示部は、撮影依頼モード設定部が設定した表示画角の範囲内で、記録部の圧縮符号化画像データを復号した画像データであるポストビュー画像の表示を行う。
【０００６】
この発明によると、ポストビュー画像では構図が悪いように見えても、実際に記録した画像では、ポストビュー画像の周辺領域も記録されており、画面上下に発生しうる頭や足などの被写体の切れが救済されうるから、撮影のやり直しを避けることができる。
【０００７】
撮影依頼モード設定部は、撮影依頼部へ他人に撮影を依頼する旨が入力されたことに応じ、画像データの記録画素数を最高画素数に設定、高感度モードの設定、顔認識に応じた自動露光調整および自動焦点調整モードの設定、表示部のバックライトのオートパワーオフの解除、撮影装置本体のオートパワーオフの解除、クイックショットモードの設定、連写モードの設定、スルー画のアイコン表示の停止もしくは制限およびシャッタボタン全押し完了までのシャッタボタン以外の操作の無効化のうち少なくとも１つを行うことが好ましい。
【０００８】
表示部は、記録部が画像データを圧縮符号化して記録した後から画像データの再生モードが設定されるまで、ポストビュー画像の表示を継続することが好ましい。
【０００９】
記録部は、撮影依頼モード設定部が設定した表示画角を特定する情報を、画像データと対応づけて記録することが好ましい。
【００１０】
本発明に係る撮影制御方法は、他人に撮影を依頼する旨の入力を受け付けるステップと、他人に撮影を依頼する旨が入力されたことに応じ、画像データの表示画角を撮影画角よりも狭い所定の範囲に設定するステップと、設定された表示画角の範囲内で、撮影された画像データの表示を行うステップと、を備える。
【発明の効果】
【００１１】
この発明によると、ポストビュー画像では構図が悪いように見えても、実際に記録した画像では、ポストビュー画像の周辺領域も記録されており、画面上下に発生しうる頭や足などの被写体の切れが救済されうるから、撮影のやり直しを避けることができる。
【発明を実施するための最良の形態】
【００１２】
以下、添付した図面を参照し本発明の好ましい実施の形態を説明する。
【００１３】
図１はカメラ１００のブロック図である。カメラ１００にはユーザがこのカメラ１００を使用するときに種々の操作を行うための操作部１２０が設けられている。この操作部１２０には、カメラ１００を作動させるための電源投入用の電源スイッチ１２１、オート撮影やマニュアル撮影等を選択するためのモードダイヤル１２３、各種のメニューの設定や選択あるいはズームを行うための十字キー１２４、閃光発光用スイッチ１２５、および十字キー１２４で選択されたメニューの実行やキャンセル等を行うための情報位置指定キー１２６が備えられている。
【００１４】
また、カメラ１００には、撮影画像や再生画像等を表示するための画像表示ＬＣＤ１０２と、操作の手助けを行うための操作ＬＣＤ表示１０３が備えられている。
【００１５】
このカメラ１００にはレリーズスイッチ１０４が配備されている。このレリーズスイッチ１０４によって撮影の開始指示がメインＣＰＵ２０へと伝えられる。このカメラ１００では所定のメニュー画面によって撮影モードと再生モードとの切り替えが自在になっている。また、カメラ１００には、コントラストＡＦ時に被写体に投光スポットを照射するための発光ダイオード（ＬＥＤ）からなるＡＦ補助光ランプ１０５ｂ、閃光を発光するストロボ１０５ａを有する閃光発光装置が配備されている。
【００１６】
また、カメラ１００には、撮影レンズ１０１と、絞り１３１と、撮影レンズ１０１および絞り１３１を経由して結像された被写体像をアナログの画像信号に変換する撮影素子であるＣＣＤセンサ１３２（以下ＣＣＤ１３２と略記する）とが備えられている。ＣＣＤ１３２は、ＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレームごとの画像信号が順次出力される。
【００１７】
撮影素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収もしくは反射して、長波長域で感度が高いＣＣＤセンサ１３２固有の感度特性を補正する赤外カットフィルタ１３２ｂが配設されている。光学的ローパスフィルタ１３２ａおよび赤外カットフィルタ１３２ｂの具体的な配設の態様は特に限定されない。
【００１８】
また、カメラ１００には、ＣＣＤセンサ１３２からのアナログ画像信号が表わす被写体像のホワイトバランスを合わせるとともにその被写体像の階調特性における直線の傾き（γ）を調節し、さらにアナログ画像信号を増幅する増幅率可変の増幅器を含む白バランス・γ処理部１３３が備えられている。
【００１９】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００２０】
Ａ／Ｄ変換部１３４によって得られたＲ，Ｇ，Ｂ画像データは、ＡＦ検出部１５０にも入力される。ＡＦ検出部１５０は、Ｒ，Ｇ，Ｂ画像データを１画面の所定の分割エリアごとにかつ同じ色成分ごとに積算平均し、さらにフレームごとに、全エリアのＲ，Ｇ，Ｂ画像データの積算平均値Ｉｒ，Ｉｇ，Ｉｂを算出する。この積算平均値Ｉｒ，Ｉｇ，ＩｂをＲ，Ｇ，Ｂの可視光の受光量とする。
【００２１】
ただし、Ｒ，Ｇ，Ｂの可視光の受光量Ｉｒ，Ｉｇ，Ｉｂは、Ｒ、Ｇ、Ｂの可視光にそれぞれ感度を有するＣＣＤ１３２以外の受光センサ（図示せず）によって検出することも可能である。
【００２２】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００２３】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００２４】
測光・測距用ＣＰＵ１３７は、ズーム用モータ１１０、フォーカス用モータ１１１、絞り調節を行う絞り用モータ１１２を制御してズームレンズ１０１ａ、フォーカスレンズ１０１ｂ、絞り１３１をそれぞれ駆動することにより被写体までの距離の算出（測距）を行い、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００２５】
なお、ズームレンズ１０１ａ、フォーカスレンズ１０１ｂ、絞り１３１、ＡＦ補助光照射角の駆動源は、ズーム用モータ１１０、フォーカス用モータ１１１、絞り用モータ１１２のような各種モータに限定する必然性はなく、アクチュエータなどであってもよい。
【００２６】
測光・測距用ＣＰＵ１３７は、レリーズスイッチ１０４が半押し（Ｓ１オン）されると、ＣＣＤ１３２によって周期的（１／30秒から１／60秒ごと）に得られる画像データ（スルー画像）に基づいて被写体の明るさの測光（ＥＶ値の算出）を行う。
【００２７】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００２８】
そして、測光・測距用ＣＰＵ１３７は、得られたＥＶ値に基づいて絞り１３１の絞り値（Ｆ値）およびＣＣＤ１３２の電子シャッタ（シャッタスピード）を含む露出値を所定のプログラム線図に従って決定する（ＡＥ動作）。
【００２９】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００３０】
ＡＥ動作は、絞り優先ＡＥ、シャッタ速度優先ＡＥ、プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮影されるように制御しており、面倒な露出決定の手間を省くことができる。
【００３１】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ｂを可動範囲内、即ち無限遠側の端点（ＩＮＦ点）から至近側の端点（ＮＥＡＲ点）の間で移動させている間に順次振幅値の計算を実行し、最大振幅を検出したときに検出値を測光・測距ＣＰＵ１３７に送信する。
【００３２】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００３３】
測光・測距用ＣＰＵ１３７は、メインＣＰＵ２０とのＣＰＵ間通信によってレリーズスイッチ１０４と接続されており、ユーザによりレリーズスイッチ１０４が半押しされたときに、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向またはＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００３４】
充電・発光制御部１３８は、ストロボ１０５ａを発光させるために電源電池６８からの電力の供給を受けて図示しない閃光発光用のコンデンサを充電したり、そのストロボ１０５ａの発光を制御する。
【００３５】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ（タリーランプ）１０５ｃやＡＦ補助光ランプ１０５ｂへの電流供給制御を行い、所望の発光量が所望のタイミングで得られるように制御する。
【００３６】
なお、セルフタイマランプ１０５ｃはＬＥＤで構成してもよく、ＡＦ補助光ランプ１０５ｂを構成するＬＥＤと共通にしてもよい。
【００３７】
メインＣＰＵ２０には、セルフタイマ回路８３が接続されている。メインＣＰＵ２０は、セルフ撮影モードが設定されている場合、レリーズスイッチ１０４の全押し信号に基づいて計時を行う。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００３８】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行う通常のカメラが有するＩＳＯ感度６４，１００，２００，４００，８００，１６００等に切り替える機能を模擬した感度変更機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００３９】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００４０】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばＥｘｉｆ（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００４１】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行う。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００４２】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００４３】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００４４】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００４５】
即ち、電源電池６８またはＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００４６】
ＲＴＣ（Real Time Clock）１５は計時専用のチップであり、電源電池６８やＡＣアダプタ４８からの給電がオフされていてもバックアップ電池から電源供給を受けて継続的に動作する。
【００４７】
画像表示ＬＣＤ１０２には透過型または半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００４８】
近年のカメラと同様、カメラ１００は省電力を図るために、オートパワーオフ設定機能を備えている。オートパワーオフ設定が有効な場合、操作部１２０に何ら入力がない待機状態の継続時間を、ＲＴＣ１５によって計時する。この待機状態のまま所定時間（例えば３分）が経過した場合、カメラ１００は、電源電池６８等からバックライト７０への電力供給をオフにするか、あるいはカメラ１００本体の各ブロックへの電力供給をオフにする。オートパワーオフ設定は、操作部１２０への所定操作によって任意に有効化あるいは解除することもできる。
【００４９】
以下、図２〜図１１を参照し、撮影の流れとカメラ１００の動作を説明する。
【００５０】
まず、図２に示すように、カメラ１００のユーザは、ある場所で集合写真を撮るため、その場所にいる任意の他人を探し、図３に示すように、他人に撮影を依頼する。
【００５１】
図４に示すように、他人に撮影を依頼する際には、操作部１２０を操作して、「お願いショットモード」を設定する。
【００５２】
「お願いショットモード」の設定をどのようにするかは任意である。例えば、撮影モードの設定の後に引き続いて、メニューの中から「お願いショットモード」の項目を選択することで設定される。「お願いショットモード」専用のボタンを操作部１２０に設け、この専用ボタンの押下に応じて「お願いショットモード」の設定と解除を繰り返してもよい。あるいは、他の撮影に関するモード、例えばセルフタイマモード設定項目の一部に組み込んでもよく、セルフタイマの残り時間の設定項目「２秒」、「１０秒」などの後に続いて、「お願いショットモード」の設定項目をメニューに追加し、１つのメニュー内でセルフタイマの残り時間と同列に「お願いショットモード」を選択・設定可能にしてもよい。
【００５３】
図４に示すように、ＣＰＵ２０は、「お願いショットモード」が設定された場合、ＬＣＤ１０２へのスルー画の表示を開始させる。図１１に示すように、このスルー画のＬＣＤ１０２（液晶パネル７１）における表示範囲Ｒ１は、例えばファインダ視野率を縦横２割ずつ縮小するなどして、実際に取得された画像データ全体領域Ｒ０よりも狭く設定されている。これは以下で詳述するが、撮影者が良好な構図設定に不慣れな場合を考慮して、スルー画で見えないような画像の取得領域の余裕を持たせるためである。
【００５４】
また、ＣＰＵ２０は、「お願いショットモード」が設定されたことに応じ、ＯＳＤ信号発生回路１４８ａに対し、「お願いショットモード」が設定されている旨を示すアイコンＩの映像を生成し、スルー画像に合成する。
【００５５】
ここでさらに、ＣＰＵ２０は、メモリカード２００への画像データの記録画素数を最高画素数（最高ピクセルサイズ、例えば２Ｍピクセル）に設定、高感度モードの設定、顔認識に応じた自動露光調整および自動焦点調整モード（顔検出ＡＥ／ＡＦ）の設定、バックライト７０のオートパワーオフの解除、カメラ１００本体のオートパワーオフの解除、クイックショットモード（レリーズスイッチ１０４の半押しがなく、一気に全押しされたことに応じて記録用画像を取得すること）の設定、連写モード（例えばストロボ１０５ａの発光・非発光状態で連続した２コマ分の撮影や、非発光状態での３コマ分の撮影）の設定、スルー画へのアイコンＩ以外の合成停止またはレリーズスイッチ１０４の全押し完了までの操作部１２０への操作の無効化のうち少なくとも１つを行うとよい。
【００５６】
こうすると、質のよい画像が得られる可能性が高まり、失敗画像が得られる可能性が低くなる。また、ＬＣＤ１０２のアイコン表示が単純化され、撮影を依頼された者（撮影者）がアイコン表示に惑わされずスルー画に集中できる。また、ＬＣＤ１０２のバックライト７０点灯が維持され、スルー画による構図確認がバックライト７０の消灯で妨げられることがない。また、レリーズスイッチ以外のボタンが誤操作されて撮影モードが解除されるなどの不都合も防げる。また、顔に対して焦点と露出が自動調整された画像が得られる。また、撮影者が半押しという操作を知らずにいきなり全押しをしても、撮影が完了する。また、高感度モードにより、手ブレの失敗も防止できる。
【００５７】
また、カメラ１００本体のオートパワーオフ設定の解除をすることにより、撮影を依頼された者が撮影を行おうとしている最中にオートパワーオフが機能して、撮影が阻害されることがない。
【００５８】
カメラ１００本体のオートパワーオフ設定の解除は、「お願いショットモード」が設定されている間は維持継続されてもよいが、撮影を依頼された者が撮影を完了するまでの所定時間だけ解除されることが好ましい。
【００５９】
撮影を依頼された者が撮影を完了するまでの所定時間は、例えば、カメラ１００本体のオートパワーオフがされるまでの待機時間が３分と設定されていた場合、５分とするなど、通常のオートパワーオフ設定の待機時間よりも長くする。このように、オートパワーオフ設定の解除時間を長く確保すれば、オートパワーオフが機能して撮影が阻害されるおそれがより少なくなる。
【００６０】
図５に示すように、撮影者は、スルー画を参照しながら構図を決め、レリーズスイッチ１０４を全押しする。メインＣＰＵ２０は、レリーズスイッチ１０４の全押し（もしくは半押しでも可）に応じ、ＣＣＤ１３２のシャッタ動作を制御し、記録用画像データの取得を行う。
【００６１】
なお、クイックショットモードが設定された場合、ＣＰＵ２０は、レリーズスイッチ１０４の全押し（もしくは半押しでも可）に応動してＡＥ動作およびＡＦ動作を即座に実施し（フルオートモード）、その演算結果に基づいてフォーカス用モータ１１１を制御し、フォーカスレンズ１０１ｂを合焦位置に即座に移動させるとともに、絞り用モータ１１２を制御して絞り１３１を即座に駆動する。さらに、顔検出ＡＥ／ＡＦが設定されている場合は、スルー画像中の顔領域検出範囲内の画像データに基づいて、ＡＦ評価値を算出し、そのピークに相当するレンズ位置を合焦位置とする。従って、いわゆる全域サーチは行わず、顔領域検出範囲は、検出顔領域ないしその近傍に制限される。ＡＥ演算部１５１によるＥＶ値の算出範囲も検出顔領域ないしその近傍に制限される。これにより、ピントの中抜け、逆光撮影が防止される。
【００６２】
取得された記録用画像データは、メモリカード２００に所定の形式で記録される。
【００６３】
ＣＰＵ２０は、メモリカード２００に記録された記録用画像データをバッファメモリ１３５に展開したポストビュー画像を、バスライン１４２を介してＹＣ処理部１４０に送る。ＹＣ／ＲＧＢ変換部１４７は、ＹＣ処理部１４０で生成された、ポストビュー画像に相当するカラー映像信号ＹＣを３色のＲＧＢ信号に変換して表示用のドライバ１４８を経由して画像表示ＬＣＤ１０２に出力する。
【００６４】
この結果、図６に示すように、ポストビュー画像がＬＣＤ１０２に表示される。図７に示すように、撮影依頼者は、ポストビュー画像の表示が保持された状態で撮影者からカメラを返してもらうことができ、スムースに画像の良否の確認ができる。
【００６５】
ポストビュー画像の表示範囲は、実際の記録画像全体領域よりも小さい所定の制限領域Ｒ２に設定されている。当然ながら、制限領域Ｒ２は、スルー画における表示範囲と同じ（Ｒ２＝Ｒ１）であってもよい。この制限領域Ｒ２内での表示範囲の制限は、再生モードの設定に応じて解除される。
【００６６】
図８に示すように、ポストビュー画像が一見すると画角切れが発生していても、図９に示すように、再生モードの設定に応じて表示される実際に取得された画像データ全体は、ポストビュー画像よりも広い領域で取得されている。従って、ポストビュー画像では構図が悪いように見えても、再生モードで表示される実際に記録した画像では、ポストビュー画像の周辺領域も記録されており、画面上下に発生しうる頭や足の画像切れが救済されうるから、撮影のやり直しを避けることができる。
【００６７】
後は、図１０に示すように、再生された画像がその他の被写体にとっても満足のいく画像であるか確認させ、満足のいくものであれば、そのまま残せばよい。あるいは好みに応じて、不要な周辺領域をトリミングして、満足のいく画像を得てもよい。最大画素数で画像が記録されていれば、トリミングの後で所望の大きさにズーミングしても画像の劣化は小さい。取り直しが不可避であれば、再び「お願いショットモード」を設定してカメラ１００を渡せばよい。
【００６８】
なお、従来技術（例えば特許公開２００１−１２８１１２号公報）で示唆されるように、撮影画角と表示出力画角とは一致させるのが好ましいのが通例であるが、本実施形態では、むしろ撮影画角と表示出力画角とに差異を積極的に設けることで画像切れを救済しようとするのであり、本実施形態の着眼点は従来技術の発想と根本的に異なることに注意を要する。
【００６９】
また、図１１に示すように、画像をトリミングする目安として、ポストビュー画像の表示範囲を示すマーカーＭを、画像データそのもの、あるいはＥｘｉｆ画像ファイルのタグ部分に記録してもよい。
【００７０】
図１１に示すように、記録画像の再生時には、記録された画像に対し、撮影時のポストビュー画像の位置・範囲が分かるように四隅にマーカーＭが付与されている。あるいは、撮影時のポストビュー画像の位置が分かるように、矩形状のマーキングが表示されてもよい。あるいは、記録画像がＬＣＤ１０２に表示されているときに、操作部１２０の押下操作により「お願いショットモード」が設定されると、撮影時のポストビュー画像（画角が縮小された画像）を表示するようにしてもよい。
【００７１】
このように、本実施形態のカメラ１００は、「お願いショットモード」により、満足のいく画像の撮影を簡単に他人に依頼することができる。撮影を依頼される者も、単にレリーズスイッチを押すだけで満足のいく画像が得られ、ストレスなく撮影の依頼に応じることができる。
【図面の簡単な説明】
【００７２】
【図１】カメラのブロック図
【図２】カメラのユーザが撮影を依頼する相手を探し出している様子を示す図
【図３】カメラのユーザが撮影を依頼する様子を示す図
【図４】「お願いショットモード」が設定された状態を示す図
【図５】撮影者がスルー画を参照しながら構図を決め、レリーズスイッチを押す様子を示す図
【図６】ポストビュー表示が維持された状態で撮影者から撮影依頼者にカメラが返却される様子を示す図
【図７】撮影依頼者がポストビュー表示によって撮影画像を確認している様子を示す図
【図８】撮影依頼者がポストビュー表示によって撮影画像を確認している様子を示す図
【図９】再生モードによって撮影画像全体が表示された状態を示す図
【図１０】撮影依頼者その他の被写体となった者が良好な撮影画像が得られたことを確認した様子を示す図
【図１１】ポストビュー画像の表示範囲と実際の記録範囲の一例を示す図
【符号の説明】
【００７３】
２０：メインＣＰＵ、８３：セルフタイマ回路、１０１：撮影レンズ、１０５ａ：ストロボ、１３２：ＣＣＤ、１３４：Ａ／Ｄ変換部、１５０：ＡＦ検出部、１５１：ＡＥ演算部
【図１】
2008160771.tif 000003
【図２】
2008160771.tif 000004
【図３】
2008160771.tif 000005
【図４】
2008160771.tif 000006
【図５】
2008160771.tif 000007
【図６】
2008160771.tif 000008
【図７】
2008160771.tif 000009
【図８】
2008160771.tif 000010
【図９】
2008160771.tif 000011
【図１０】
2008160771.tif 000012
【図１１】
2008160771.tif 000013